(57)【要約】【課題】加工コストをかけずに、双眼鏡の鏡筒を握った手から滑り落ちにくくする。【解決手段】対物レンズを保持する左右一対の右側鏡筒１２Ｒと左側鏡筒１２Ｌは、連結部１１により連結され、右側鏡筒１２Ｒには、一体に設けられた連結部１１Ｒから右側対物レンズ群３１Ｒ側に所定の位置だけ離れた位置に、右側光学系３０Ｒの光軸Ｒの半径方向の右側突起部４１Ｒが設けられ、左側鏡筒１２Ｌには、一体に設けられた連結部１１Ｌから左側対物レンズ群３１Ｌ側に所定の位置だけ離れた位置に、左側光学系３０Ｌの光軸Ｌの半径方向の左側突起部４１Ｌが設けられるので、加工コストを掛けずに、双眼鏡１の右側鏡筒１２Ｒと左側鏡筒１２Ｌを握った手が滑り落ちるのを防止できる。本発明は、例えば、左右一対の鏡筒を連結する連結部を有する双眼鏡に適用できる。【選択図】図１
2011017812.tif 000002
【特許請求の範囲】
【請求項１】
対物レンズを保持する左右一対の鏡筒と、
前記左右一対の鏡筒を連結する連結部と
を備え、
前記左右一対の鏡筒は、それぞれ、前記連結部から前記対物レンズ側に所定の間隔だけ離れた周面上に、前記所定の間隔における鏡筒の径に対して、鏡筒内に配置された光学系の光軸の半径方向に突起した突起部を有している
ことを特徴とする双眼鏡。
【請求項２】
前記突起部は、前記光軸を中心にして、鏡筒の周面上を周方向に回転する
ことを特徴とする請求項１に記載の双眼鏡。
【請求項３】
前記突起部は、鏡筒の周面上の所定の位置に固定される
ことを特徴とする請求項２に記載の双眼鏡。
【請求項４】
前記突起部は、前記左右一対の鏡筒内にそれぞれ配置された２つの光学系の光軸を含む平面よりも上方に設けられる
ことを特徴とする請求項１に記載の双眼鏡。
【請求項５】
前記連結部は、前記左右一対の鏡筒を互いに眼幅調節自在に連結しており、
前記上方とは、前記平面を基準にしたときに、前記連結部の眼幅調節軸の存在する側に向かう方向である
ことを特徴とする請求項４に記載の双眼鏡。
【発明の詳細な説明】
【技術分野】
【０００１】
本発明は、双眼鏡に関する。
【背景技術】
【０００２】
双眼鏡として、左右一対の鏡筒に対して連結部を２箇所設けたものが知られている（特許文献１参照）。この双眼鏡では、それらの連結部の間に指を入れて握ると、連結部が光軸方向の制限となるため、鏡筒を握った手から滑り落ちないようにすることが可能となる。
【先行技術文献】
【特許文献】
【０００３】
【特許文献１】特開２０００−５６２３７号公報
【発明の概要】
【発明が解決しようとする課題】
【０００４】
ところで、特許文献１の双眼鏡では、鏡筒を連結する連結部が中空部を挟んで光軸方向に２箇所設けられているが、左右一対の鏡筒の光軸の間隔を変える眼幅調節操作で作動不良が発生しないようにするためには、連結部のそれぞれの軸が同軸である必要がある。
【０００５】
しかしながら、連結部の間には中空部があって、２箇所に設けられた連結部の距離が離れているので、それらの連結部の連結軸を同軸にするためには、高精度な加工が求められ、精度の高い冶具や加工機を使用する必要があるとともに、加工に時間を要することから、加工コストが増加してしまう問題があった。
【０００６】
本発明はこのような状況に鑑みてなされたものであり、加工コストをかけずに、双眼鏡の鏡筒を握った手から滑り落ちにくくするものである。
【課題を解決するための手段】
【０００７】
本発明の双眼鏡は、対物レンズを保持する左右一対の鏡筒と、前記左右一対の鏡筒を連結する連結部とを備え、前記左右一対の鏡筒は、それぞれ、前記連結部から対物レンズ側に所定の間隔だけ離れた周面上に、前記所定の間隔における鏡筒の径に対して、鏡筒内に配置された光学系の光軸の半径方向に突起した突起部を有していることを特徴とする。
【発明の効果】
【０００８】
本発明によれば、双眼鏡の鏡筒を握った手から滑り落ちにくくすることができる。
【図面の簡単な説明】
【０００９】
【図１】本発明を適用した双眼鏡の一実施の形態の構成を示す図である。
【図２】図１の双眼鏡を対物レンズ群側から見た場合の図である。
【図３】本発明を適用した双眼鏡の一実施の形態の他の構成を示す図である。
【図４】図３の双眼鏡を対物レンズ群側から見た場合の図である。
【図５】図３の双眼鏡を対物レンズ群側から見た場合の図である。
【発明を実施するための形態】
【００１０】
以下、図面を参照しながら本発明の実施の形態について説明する。
【００１１】
図１は、本発明を適用した双眼鏡の一実施の形態の構成を示す図である。
【００１２】
図１に示すように、双眼鏡１は、左右一対の右側鏡筒１２Ｒと左側鏡筒１２Ｌと、それらの鏡筒を互いに連結する連結部１１を有する。右側鏡筒１２Ｒと左側鏡筒１２Ｌは、いずれも略円筒の形状からなり、右側鏡筒１２Ｒの内部には右側光学系３０Ｒが、左側鏡筒１２Ｌの内部には左側光学系３０Ｌがそれぞれ設けられている。右側光学系３０Ｒと左側光学系３０Ｌとは、双眼鏡光学系を構成しており、それらの光軸Ｒ，Ｌは互いに平行となる。
【００１３】
右側光学系３０Ｒは、右側対物レンズ群３１Ｒ、右側プリズム光学系３２Ｒ、及び右側接眼レンズ群３３Ｒから構成される。右側対物レンズ群３１Ｒは、固定レンズやフォーカスレンズなどから構成され、目標物体からの反射光（観察光）を、右側プリズム光学系３２Ｒに導く。右側プリズム光学系３２Ｒは、例えばポロプリズムやダハプリズム等の正立プリズムにより構成される。すなわち、右側対物レンズ群３１Ｒは正レンズであるため、右側対物レンズ群３１Ｒにより結像される目標物体の像は本来、倒立像となるが、右側プリズム光学系３２Ｒとして、例えば２個の直角プリズムからなるポロプリズムを配置することにより、水平プリズムに入った像の左右が反転し、垂直プリズムに入った像の上下が反転するので、結果として、右側プリズム光学系３２Ｒを通して見た目標物体の像は正立像となる。そして、右側接眼レンズ群３３Ｒは正レンズであるが、右側プリズム光学系３２Ｒを通して形成される正立像が、右側接眼レンズ群３３Ｒの焦点になるように配置されているため、右側接眼レンズ群３３Ｒを通して目標物体を見れば、使用者には、目標物体の正立拡大像が観察像として見えることになる。
【００１４】
左側光学系３０Ｌは、左側対物レンズ群３１Ｌ、左側プリズム光学系３２Ｌ、及び左側接眼レンズ群３３Ｌから構成される。左側光学系３０Ｌについても、右側光学系３０Ｒと同様に、左側対物レンズ群３１Ｌにより結像される倒立像を、左側プリズム光学系３２Ｌにより正立像に反転させて、左側接眼レンズ群３３Ｌに導くことにより、左側接眼レンズ群３３Ｌを通して、目標物体の観察像を見ることが可能となる。
【００１５】
連結部１１は、右側鏡筒１２Ｒと一体に設けた連結部１１Ｒと、左側鏡筒１２Ｌと一体に設けた連結部１１Ｌとを、光軸Ｒ，Ｌに平行となる軸Ｃ上の眼幅調節軸（不図示）に回動自在に組み付けてある。これにより、右側鏡筒１２Ｒ，左側鏡筒１２Ｌが眼幅調節軸を中心に所定の角度の範囲で回転可能とされ、使用者の眼幅に対し、右側接眼レンズ群３３Ｒと左側接眼レンズ群３３Ｌとの光軸間の距離を合致させることが可能となる。
【００１６】
また、連結部１１の接眼側の端面には、焦点の調節を行うための焦点調節環１３が設けられる。焦点調節環１３は、軸Ｃを中心に回転自在となっており、使用者による回転操作に応じて、右側対物レンズ群３１Ｒのフォーカスレンズが光軸Ｒ上を移動することで右側光学系３０Ｒの焦点が調節され、左側対物レンズ群３１Ｌのフォーカスレンズが光軸Ｌ上を移動することで左側光学系３０Ｌの焦点が調節される。
【００１７】
右側鏡筒１２Ｒには、一体に設けられた連結部１１Ｒから右側対物レンズ群３１Ｒ側（先端側）に所定の間隔だけ離れた周面上に、その所定の間隔における鏡筒の径に対して、右側光学系３０Ｒの光軸Ｒの半径方向に突起した右側突起部４１Ｒが設けられている。連結部１１Ｒと右側突起部４１Ｒとの間隔は、使用者が右側鏡筒１２Ｒを握るに際し、握るための複数の指が入るだけの間隔である。したがって、右側突起部４１Ｒを設ける位置を、図１で示した位置よりも、右側鏡筒１２Ｒのさらに先端側の位置にしたり、あるいは連結部１１Ｒに近い位置にすることが可能である。
【００１８】
また、左側鏡筒１２Ｌには、右側鏡筒１２Ｒと同様に、その先端側の周面上の所定の位置に、左側突起部４１Ｌが設けられる。
【００１９】
図２は、図１の双眼鏡１を矢印Ａの方向、すなわち、右側対物レンズ群３１Ｒ、左側対物レンズ群３１Ｌ側から見た場合の図である。
【００２０】
図２に示すように、右側鏡筒１２Ｒの周面上に設けられた右側突起部４１Ｒと、左側鏡筒１２Ｌの周面上に設けられた左側突起部４１Ｌは、右側光学系３０Ｒの光軸Ｒと、左側光学系３０Ｌの光軸Ｌとを含む平面Ｐよりも図中の上方に設けられる。この上方とは、平面Ｐを基準としたときに、連結部１１に設けられた軸Ｃ上の眼幅調節軸（不図示）の存在する側に向かう方向である。
【００２１】
すなわち、右側鏡筒１２Ｒ，左側鏡筒１２Ｌの周面上に、右側突起部４１Ｒ，左側突起部４１Ｌをそれぞれ設けることで、使用者は、これらの右側突起部４１Ｒ，左側突起部４１Ｌと連結部１１との間に指を入れて、右側鏡筒１２Ｒ，左側鏡筒１２Ｌを握ることになる。その結果、右側突起部４１Ｒ，左側突起部４１Ｌが、使用者の指を対物側の光軸方向に移動するのを制限し、連結部１１が、使用者の指を接眼側の光軸方向に移動するのを制限することになる。これにより、使用者は、光軸方向の移動が制限された状態で、右側鏡筒１２Ｒ，左側鏡筒１２Ｌを握ることが可能となり、双眼鏡１が手から滑り落ちるといった不安感が拭われる。
【００２２】
ところで、図１及び図２の双眼鏡１では、右側突起部４１Ｒ，左側突起部４１Ｌを右側鏡筒１２Ｒ，左側鏡筒１２Ｌの周面上にそれぞれ形成し、それらの突起部が固定されている場合の構成について説明したが、次に、それらの突起部が配置される位置を可変とした場合の構成について説明する。
【００２３】
図３は、本発明を適用した双眼鏡の一実施の形態の他の構成を示す図である。
【００２４】
図３の双眼鏡１では、図１の双眼鏡１と比して、右側鏡筒１２Ｒ，左側鏡筒１２Ｌの先端側に設けられた、右側突起部４１Ｒ，左側突起部４１Ｌの代わりに、右側突起部５１Ｒを有する右側突起環５２Ｒと、左側突起部５１Ｌを有する左側突起環５２Ｌとが設けられている。
【００２５】
図３の右側鏡筒１２Ｒには、その先端側に、光軸Ｒを中心とした円状の溝である嵌合溝部（後述する図４の嵌合溝部５３Ｒ）が形成されており、中空円筒の形状を有する右側突起環５２Ｒと嵌合している。すなわち、右側突起環５２Ｒは、右側鏡筒１２Ｒに形成された嵌合溝部の径よりも若干大きな径の中空を有しているので、右側鏡筒１２Ｒの嵌合溝部に右側突起環５２Ｒを嵌め合わせることにより、右側突起環５２Ｒは、その嵌合溝部に沿って、右側鏡筒１２Ｒの外周方向に摺動できるとともに、光軸Ｒの方向の移動が制限されることになる。また、この右側突起環５２Ｒには、光軸Ｒの半径方向に右側突起部５１Ｒが形成されているので、右側突起環５２Ｒの摺動に応じて、この右側突起部５１Ｒも光軸Ｒを中心に回転することになる。
【００２６】
左側鏡筒１２Ｌには、右側鏡筒１２Ｒと同様に、その外周方向に摺動可能な左側突起環５２Ｌが嵌合溝部に嵌め合わせられており、左側突起環５２Ｌの摺動に応じて、その左側突起環５２Ｌに形成された左側突起部５１Ｌが光軸Ｌを中心に回転することになる。
【００２７】
図４は、図３の双眼鏡１を矢印Ａの方向、すなわち、右側対物レンズ群３１Ｒ、左側対物レンズ群３１Ｌ側から見た場合の図であって、右側突起環５２Ｒの固定方法を説明するために、右側鏡筒１２Ｒの一部が断面図となっている。
【００２８】
図４に示すように、嵌合溝部５３Ｒに嵌合した右側突起環５２Ｒに形成された雌ねじ６２Ｒには、雄ねじ６１Ｒが螺合されており、雄ねじ６１Ｒを締め付けて、その先端部を光軸Ｒに対して垂直方向に移動させて、嵌合溝部５３Ｒを押圧した状態にした場合、右側突起環５２Ｒがねじ止めされることになる。これにより、右側突起環５２Ｒは、光軸Ｒの方向の移動が制限されるたけでなく、その外周方向の摺動も制限されて、右側鏡筒１２Ｒに完全に固定される。一方、雄ねじ６１Ｒを緩めて、その先端部を光軸Ｒのある方向に対して反対方向に移動させることにより、右側突起環５２Ｒのねじ止めが解除され、右側突起環５２Ｒは外周方向の摺動が可能となる。これにより、右側突起環５２Ｒを外周方向に摺動させて、右側突起部５１Ｒを、光軸Ｒを中心にして回転させることが可能となる。
【００２９】
また、左側突起環５２Ｌには、右側突起環５２Ｒと同様に、雄ねじ６１Ｌが取り付けてあり、雄ねじ６１Ｌを締め付けた場合には、左側突起環５２Ｌがねじ止めされ、左側突起部５１Ｌが固定される。一方、雄ねじ６１Ｌを緩めた場合には、左側突起環５２Ｌのねじ止めが解除され、左側突起部５１Ｌを回転移動させることが可能となる。
【００３０】
以上のように、雄ねじ６１Ｒ，雄ねじ６１Ｌを緩めた状態で、右側突起環５２Ｒ，左側突起環５２Ｌを鏡筒の周面上を外周方向に摺動させて、右側突起部５１Ｒ，左側突起部５１Ｌを所望の位置まで回転させた後に、雄ねじ６１Ｒ，雄ねじ６１Ｌを締めて、右側突起環５２Ｒ，左側突起環５２Ｌを鏡筒の周面上に固定することにより、右側突起部５１Ｒ，左側突起部５１Ｌを所望の位置で固定することが可能となる。
【００３１】
また、図５には、より簡便に、右側突起環５２Ｒ，左側突起環５２Ｌを鏡筒の周面上に固定する方法が図示されている。なお、図５においても、右側突起環５２Ｒの固定方法を説明するために、右側鏡筒１２Ｒ及び右側突起環５２Ｒの一部が断面図となっている。
【００３２】
図５に示すように、右側突起部５１Ｒの内部に形成された溝には、ばね７１ｃが挿入されており、ばね７１ｃの一方の端が溝に固定され、他端には棒部材７１ｂが固定されている。これにより、棒部材７１ｂは、ばね７１ｃの弾性力により光軸Ｒに向かって垂直方向に伸縮自在となっている。また、嵌合溝部５３Ｒは、棒部材７１ｂの先端部に対応する形状を有し、光軸Ｒを中心に放射状に凹部が形成された複数の溝部７１ａが設けられている。
【００３３】
すなわち、右側突起部５１Ｒに形成された溝に固定されたばね７１ｃが縮んで、その一方の端に取り付けられた棒部材７１ｂが溝内に入り込んだ場合には、右側突起環５２Ｒは、嵌合溝部５３Ｒ上を摺動することが可能となる。一方、ばね７１ｃが伸びて、棒部材７１ｂの先端部が溝から出てきて嵌合溝部５３Ｒに形成された溝部７１ａに嵌合した場合には、その位置で、右側突起環５２Ｒが固定されることになる。つまり、右側突起環５２Ｒが嵌合溝部５３Ｒ上を摺動するとき、棒部材７１の先端部は、ばね７１ｃが縮んで右側突起部５１Ｒに形成された溝内に格納されるが、嵌合溝部５３Ｒに設けられた溝部７１ａの範囲内では、棒部材７１ｂの先端部が、それらの溝部７１ａと嵌合するので、右側突起環５２Ｒを回転操作するだけで、右側突起部５１Ｒを所望の位置に固定することが可能となる。
【００３４】
また、左側突起環５２Ｌには、溝部７１ａ、棒部材７１ｂ、ばね７１ｃに対応する部材が設けられており、右側突起環５２Ｒと同様に、左側突起環５２Ｌを回転操作するだけで、左側突起部５１Ｌを所望の位置で固定することができる。
【００３５】
このように、本実施の形態では、右側突起環５２Ｒ、左側突起環５２Ｌを回転操作して、右側突起部５１Ｒ，左側突起部５１Ｌを所望の位置に固定することができるので、使用者の手の大きさに左右されずに、手の大きさに対して最適となる位置に、右側突起部５１Ｒ，左側突起部５１Ｌを固定できる。
【００３６】
なお、右側突起環５２Ｒ，左側突起環５２Ｌを固定する方法としては、図４及び図５の方法に限らず、それらの突起環を鏡筒に固定して、その外周方向の摺動を制限できる方法であれば、いずれの方法を用いてもよい。
【００３７】
以上のように、本発明によれば、加工コストをかけずに、単に、右側鏡筒１２Ｒ，左側鏡筒１２Ｌの周面上に、右側突起部４１Ｒ，左側突起部４１Ｌ（右側突起部５１Ｒ，左側突起部５１Ｌ）を設けるだけで、双眼鏡１を握った手から滑り落ちにくくすることができる。その結果、使用者に対して、双眼鏡１を握ったときに、安心感を与えることが可能となる。
【００３８】
なお、右側突起部４１Ｒ，５１Ｒと、左側突起部４１Ｌ，５１Ｌは、右側鏡筒１２Ｒの先端側のレンズ面と、左側鏡筒１２Ｌの先端側のレンズ面の保護のために取り付けられるキャップを引っかける部材として利用することも可能である。
【００３９】
また、本発明の実施の形態は、上述した実施の形態に限定されるものではなく、本発明の要旨を逸脱しない範囲において種々の変更が可能である。
【符号の説明】
【００４０】
１  双眼鏡，  １１，１１Ｌ，１１Ｒ  連結部，  １２Ｌ  左側鏡筒，  １２Ｒ  右側鏡筒，  １３  焦点調節環，  ３０Ｌ  左側光学系，  ３０Ｒ  右側光学系，  ３１Ｌ  左側対物レンズ群，  ３１Ｒ  右側対物レンズ群，  ３２Ｌ  左側プリズム光学系，  ３２Ｒ  右側プリズム光学系，  ３３Ｌ  左側接眼レンズ群，  ３３Ｒ  右側接眼レンズ群，  ４１Ｌ，５１Ｌ  左側突起部，  ４１Ｒ，５１Ｒ  右側突起部，  ５２Ｌ  左側突起環，  ５２Ｒ  右側突起環，  ５３Ｒ  嵌合溝部，  ６１Ｌ，６１Ｒ  雄ねじ，  ６２Ｒ  雌ねじ，  ７１ａ  溝部，  ７１ｂ  棒部材，  ７１ｃ  ばね，  Ｃ  軸，  Ｌ，Ｒ  光軸，  Ｐ  平面
【図１】
2011017812.tif 000003
【図２】
2011017812.tif 000004
【図３】
2011017812.tif 000005
【図４】
2011017812.tif 000006
【図５】
2011017812.tif 000007